(57)【要約】      （修正有）【課題】ファンデーションなどの化粧料を効率的かつ均一に顔に塗布することができる使い勝手のよい化粧用ブラシ、その化粧用ブラシに使用する毛束部材を提供する。【解決手段】化粧用ブラシ１の毛束部材１１は、毛束４１が口金２１に固定されてなる化粧用ブラシ１の毛束部材１１であって、下端面２４が水平で上端面２５が傾斜した筒状の口金２１と、口金２１に固定された上端面が傾斜した毛束４１と、を備え、毛束４１は、口金２１の上端面２５を基準とした毛丈が位置によらず略同一である。【選択図】図１
0003230982.tif 000002
【実用新案登録請求の範囲】
【請求項１】
毛束が口金に固定されてなる化粧用ブラシの毛束部材であって、
下端面が水平で上端面が傾斜した筒状の口金と、
前記口金に固定された上端面が傾斜した毛束と、
を備え、
前記毛束は、前記口金の上端面を基準とした毛丈が位置によらず略同一であることを特徴とする化粧用ブラシの毛束部材。
【請求項２】
前記口金の上端面は、平面視において鋭角部が一ヶ所設けられ、前記鋭角部を除き他は丸味を帯びた形状を有し、
前記鋭角部は、前記口金の上端の最も高い部分に設けられ、
前記毛束の平面視の形状が、前記口金の上端面の平面視の形状と略相似形であることを特徴とする請求項１に記載の化粧用ブラシの毛束部材。
【請求項３】
請求項１又は請求項２に記載の化粧用ブラシの毛束部材と、
前記毛束部材が取付けられる柄と、
を備えることを特徴とする化粧用ブラシ。
【考案の詳細な説明】
【技術分野】
【０００１】
本考案は、ファンデーションなどの化粧料を顔に塗布する際に使用する化粧用ブラシに関する。
【背景技術】
【０００２】
ファンデーションなどの化粧料を顔に塗布する際に使用する化粧用ブラシは、これまで種々の形態のものが提案されている。この中にはブラシの上端部（先端部）が傾斜面となった化粧用ブラシ（フェイスブラシ）がある（例えば特許文献１、２参照）。
【０００３】
特許文献１のフェイスブラシは、塗布先端面が傾斜状態となっていることにより、毛束部材の傾斜上流側に長い毛素材を密集させた長毛領域と傾斜下流側に短い毛素材を密集させた短毛領域とが生じるため、顔面肌のデリケート部分に化粧料を塗布する際に長毛領域を選定することによって毛素材との接触による顔面肌の表皮にある角質層への外傷を防止することができるとしている。
【０００４】
特許文献２の化粧用ブラシは、毛先の断面形状が丸束状で上端が斜めにカットされ楕円状の平面部を有し、カットされた平面部の先端部の毛を他の毛に比べて適宜の長さほど長めにすることで化粧料を広い面積で付着でき、さらに化粧料を一方向に塗布することにより確実に塗布できるとしている。
【先行技術文献】
【特許文献】
【０００５】
【特許文献１】実用新案登録第３２０９５５５号公報
【特許文献２】実用新案登録第３２１０２４８号公報
【考案の概要】
【考案が解決しようとする課題】
【０００６】
上端面（先端面）が平坦な傾斜面を有する化粧用ブラシは、上端面を幅広く顔に当てることができるため一度に幅広く化粧料を塗布することができる。しかしながら従来の上端面が平坦な傾斜面を有する化粧用ブラシは、毛束の位置により毛丈が異なるためコシ（弾力性）の強さが均一とならない。具体的には毛丈の長い部分は、毛丈の短い部分に比較して相対的にコシ（弾力性）が弱い。このためファンデーションなどの化粧料を顔に塗布する際に毛丈の長い部分の毛がばらけ、毛束全体をうまく利用することができない。
【０００７】
本考案の目的は、ファンデーションなどの化粧料を効率的かつ均一に顔に塗布することができる使い勝手のよい化粧用ブラシ、その化粧用ブラシに使用する毛束部材を提供することである。
【課題を解決するための手段】
【０００８】
本考案は、毛束が口金に固定されてなる化粧用ブラシの毛束部材であって、下端面が水平で上端面が傾斜した筒状の口金と、前記口金に固定された上端面が傾斜した毛束と、を備え、前記毛束は、前記口金の上端面を基準とした毛丈が位置によらず略同一であることを特徴とする化粧用ブラシの毛束部材である。
【０００９】
本考案の化粧用ブラシの毛束部材において、前記口金の上端面は、平面視において鋭角部が一ヶ所設けられ、前記鋭角部を除き他は丸味を帯びた形状を有し、前記鋭角部は、前記口金の上端の最も高い部分に設けられ、前記毛束の平面視の形状が、前記口金の上端面の平面視の形状と略相似形であることを特徴とする。
【００１０】
本考案は、前記化粧用ブラシの毛束部材と、前記毛束部材が取付けられる柄と、を備えることを特徴とする化粧用ブラシである。
【考案の効果】
【００１１】
本考案によれば、ファンデーションなどの化粧料を効率的かつ均一に顔に塗布することができる使い勝手のよい化粧用ブラシ、その化粧用ブラシに使用する毛束部材を提供することができる。
【図面の簡単な説明】
【００１２】
【図１】本考案の第１実施形態の化粧用ブラシ１の外観図である。
【図２】本考案の第１実施形態の化粧用ブラシ１の毛束部材１１の正面図、側面図、背面図、平面図である。
【図３】本考案の第１実施形態の化粧用ブラシの口金２１の上端の平面図、下端の平面図である。
【図４】本考案の第２実施形態の化粧用ブラシ２の外観図である。
【図５】本考案の第２実施形態の化粧用ブラシ２の毛束部材１２の正面図、側面図、背面図、平面図である。
【図６】本考案の第２実施形態の化粧用ブラシ２の口金２２の斜視図、上端の平面図、下端の平面図である。
【考案を実施するための形態】
【００１３】
図１は、本考案の第１実施形態の化粧用ブラシ１の外観図であり、（Ａ）は、化粧用ブラシ１を立て斜め上から見た斜視図、（Ｂ）は、化粧用ブラシ１を寝かせ斜め上から見た斜視図である。図２は、本考案の第１実施形態の化粧用ブラシ１の毛束部材１１を表す図であり、（Ａ）は正面図、（Ｂ）は側面図、（Ｃ）は背面図、（Ｄ）は平面図であり、図３（Ａ）は、口金２１の上端２５の平面図、図３（Ｂ）は口金２１の下端２４の平面図である。なお図１〜図３において縮尺は必ずしも同一でない。
【００１４】
図及び明細書中のＸ軸、Ｙ軸、Ｚ軸は、３次元直交座標のＸ軸、Ｙ軸、Ｚ軸と一致し、Ｘ（Ｘ軸）方向、Ｙ（軸）方向、Ｚ(軸)方向は、３次元直交座標のＸ軸方向、Ｙ軸方向、Ｚ軸方向と一致する。図及び明細書においてＸ方向は左右方向、Ｙ方向は上下方向、Ｚ方向は前後方向である。
【００１５】
本考案の第１実施形態の化粧用ブラシ１は、ファンデーションなどの化粧料を顔に塗布する際に使用する化粧用ブラシであり、毛束部材１１と柄５０とからなり、柄５０の先端に毛束部材１１が固定されてなる。毛束部材１１は、毛束４１と、毛束４１を固定する口金２１とからなり、毛束４１が口金２１の上端２５から突出するように口金２１に固定されている。
【００１６】
口金２１は、側面視において下端面（底面）２４が水平で上端面２５が傾斜した金属製の筒状の部材である（図２（Ｂ）参照）。ここで水平面は、ＸＺ面に平行な面である。口金２１の材質は特に限定されず、例えばアルミニウム合金、ステンレス鋼、真鍮などである。口金２１は、めっき処理、アルマイト処理などの表面処理がなされていてもよく、複合材料、２層、３層の複層構造の材料であってもよい。
【００１７】
口金２１は、正面視及び背面視において下端２４から上端２５に向かって扇状に広がっている（図２（Ａ）、図２（Ｃ）参照）。また口金２１は、側面視において下端２４から中間部２６まではほぼ同じ大きさであるが、中間部２６から上端２５にかけて徐々に狭くなっており上端２５が一番狭い（図２（Ｂ）参照）。
【００１８】
口金２１の下端面２４は、水平であり断面は円である（図２、図３（Ｂ）参照）。口金２１の上端面２５は平面視において楕円に近い扁平円状である（図３（Ａ）参照）。また口金２１の上端面２５は、前面２７に比較して背面２８が高く側面視においてほぼ直線的に傾斜している（図２（Ｂ）参照）、また口金２１の上端面２５は、前面２７がＸ方向に見て凹状に湾曲し（図２（Ａ）参照）、背面２８がＸ方向に見て凸状に湾曲している（図２（Ｃ）参照）。
【００１９】
毛束（毛）４１は、多数の毛４４の集合体であり、口金２１の上端面２５から放射状に突出するように口金２１に固定されている。毛束（毛）４１は、口金２１の上端面２５を基準としたときの毛丈（毛４４の長さ）は場所（位置）によらずほぼ同一である。このため口金２１の上端面２５と毛束４１の上端４５とは略平行である。本実施形態では、口金２１の上端面２５が、前面２７に比較して背面２８が高く側面視において傾斜している。このため毛束（毛）４１は、毛束部材１１の側面視において、前面４７に比較して背面４８が高く、毛束４１の上端４５は傾斜面となっている（図２（Ｂ）参照）。
【００２０】
また毛束（毛）４１は、毛束部材１１の正面視、背面視において、中間部４６までは上方に向かって広がっており、中間部４６から上方は、中央部が一番高い山型である（図２（Ａ）、（Ｃ）参照）。また毛束（毛）４１は、平面視において楕円に近い扁平円形であり、口金２１の平面視における上端面２５の形状と略相似である。毛束（毛）４１の平面視における大きさは、口金２１の平面視における上端面２５の大きさよりも大きい。
【００２１】
本化粧用ブラシ１において、毛束（毛）４１を構成する毛４４の種類は特に限定されず、山羊、馬、イタチ、鹿、猫、狸、豚、犬の毛などの獣毛、ナイロン、ポリエチレンテレフタレート（ＰＥＴ）、ポリブチレンテレフタレート（ＰＢＴ）などの人工毛、２種類以上の毛の混毛、獣毛と人工毛との混毛であってもよい。
【００２２】
柄５０は、化粧用ブラシ１の持ち手となる棒状の部材である。本考案の第１実施形態の化粧用ブラシ１において、柄５０は、特に限定されるものではなく形状、大きさ、材質も適宜選択すればよい。
【００２３】
図４は、本考案の第２実施形態の化粧用ブラシ２の外観図であり、（Ａ）は、化粧用ブラシ２を立て斜め上から見た斜視図、（Ｂ）は、化粧用ブラシ２を寝かせ斜め上から見た斜視図である。図５は、本考案の第２実施形態の化粧用ブラシ２の毛束部材１２を表す図であり、（Ａ）は正面図、（Ｂ）は側面図、（Ｃ）は背面図、（Ｄ）は平面図であり、図６（Ａ）は、口金２２を斜め上から見た斜視図、図６（Ｂ）は、口金２２の上端２５の平面図、図６（Ｃ）は、口金２２の下端２４の平面図である。なお図４〜図６において縮尺は必ずしも同一でない。図１〜図３に示す本考案の第１実施形態の化粧用ブラシ１と同一の部材には、同一の符号を付して説明を省略する。
【００２４】
本考案の第２実施形態の化粧用ブラシ２は、ファンデーションなどの化粧料を顔に塗布する際に使用する化粧用ブラシであり、本考案の第１実施形態の化粧用ブラシ１と同様に、毛束部材１２と柄５０とからなり、柄５０の先端に毛束部材１２が固定されてなる。毛束部材１２は、毛束４２と、毛束４２を固定する口金２２とからなり、毛束４２が口金２２の上端２５から突出するように口金２２に固定されている。
【００２５】
口金２２は、側面視において下端面（底面）２４が水平で上端面２５が傾斜した金属製の筒状の部材である（図６（Ａ）参照）。ここで水平面は、ＸＺ面に平行な面である。口金２２の材質は、第１実施形態の口金２１と同様である。
【００２６】
口金２２は、下端２４から上端２５に向かって（Ｙ方向）放射状に広がっている（図５（Ａ）、（Ｂ）、（Ｃ）参照）。口金２２の下端面２４は、水平であり断面は円である（図６（Ｃ）参照）。口金２２の上端面２５は平面視において雫形を有する。具体的には、口金２２の上端面２５は、平面視において背面側が鋭角である一方で、他の部分は円に近い丸味を帯びた形状を有する（図６（Ｂ）参照）。口金２２の背面上端に設けられた鋭角部３０の角度（交角）θは、特に限定されるものではないが３０〜１５０°程度である。
【００２７】
また口金２２は、前面２７に比較して背面２８が高く、上端面２５は、側面視においてほぼ直線的に傾斜している（図５（Ｂ）参照）。また口金２２の上端面２５は、前面２７がＸ方向に見て凹状に湾曲し（図５（Ａ）参照）、背面２８がＸ方向に見て凸状に湾曲している（図５（Ｃ）参照）。
【００２８】
毛束（毛）４２は、多数の毛４４の集合体であり、口金２２の上端面２５から放射状に突出するように口金２２に固定されている。毛束（毛）４２は、口金２２の上端面２５を基準としたときの毛丈（毛４４の長さ）は場所（位置）によらずほぼ同一である。このため口金２２の上端面２５と毛束４２の上端４５とは略平行である。本実施形態では、口金２２の上端面２５が、前面２７に比較して背面２８が高く側面視において傾斜しているため毛束（毛）４２も毛束部材１２の側面視において、前面４７に比較して背面４８が高く、毛束４２の上端４５は傾斜面となっている（図５（Ｂ）参照）。
【００２９】
また毛束（毛）４２は、毛束部材１２の正面視、背面視において、中間部４６までは上方に向かって広がっており、中間部４６から上方は、中央部が一番高い丸味を帯びた山型である（図５（Ａ）、（Ｃ）参照）。また毛束（毛）４２は、平面視において雫形であり、口金２２の平面視における上端面２５の形状と略相似である。毛束（毛）４２の平面視における大きさは、口金２２の平面視における上端面２５の大きさよりも大きい。
【００３０】
第２実施形態の化粧用ブラシ２における毛４４の種類は、第１実施形態の化粧用ブラシ１の毛４４と同じであり、説明を省略する。また第２実施形態の化粧用ブラシ２における柄５０も第１実施形態の化粧用ブラシ１の柄５０と同じであるので説明を省略する。
【００３１】
以上、第１及び第２実施形態の化粧用ブラシ１、２により説明のように本考案に係る毛束部材及び化粧ブラシは、毛束の前面側を背面側に比べて低くし、ブラシの上面に傾斜面を形成させる。この傾斜面により毛束の先端部（上面）が顔に幅広く接するため均一にファンデーションを塗ることができる。このとき本考案に係る毛束部材及び化粧ブラシは、口金の上端面と毛束の上端面とを略平行とし、場所によらず毛丈を略同一としているので毛のコシの強さが全体的に同じになる。これにより毛先が肌に均等に当たり易く均一にファンデーションを塗布することができる。
【００３２】
また本考案の第２実施形態の化粧用ブラシ２のように、平面視において口金の一ヶ所を鋭角にし、他は丸味を帯びた形状とすれば毛束に一ヶ所鋭角部が形成される。このような毛束部材及び化粧ブラシは、毛束に形成された鋭角部を使用することで小鼻まわりの細かい部分にもきれいにファンデーションを塗布することができる。
【００３３】
以上、第１及び第２実施形態の化粧用ブラシを用いて本考案に係る毛束部材及び化粧用ブラシを説明したが、本考案に係る毛束部材及び化粧用ブラシは上記実施形態に限定されるものではなく、要旨を変更しない範囲で変更することができる。また当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００３４】
１、２  化粧用ブラシ
１１、１２  毛束部材
２１、２２  口金
２４  下端、下端面
２５  上端、上端面
２６  中間部
２７  前面
２８  背面
３０  鋭角部
４１、４２  毛束
４４  毛
４５  上端
４６  中間部
４７  前面
４８  背面
５０  柄
【図１】
0003230982.tif 000003
【図２】
0003230982.tif 000004
【図３】
0003230982.tif 000005
【図４】
0003230982.tif 000006
【図５】
0003230982.tif 000007
【図６】
0003230982.tif 000008